(57)【要約】【課題】情報処理装置に関する状態に合わせて、表示部の表示周期を変更することができるようにする。【解決手段】本発明の情報処理装置として適用可能なカメラ付ディジタル携帯電話機においては、ステップＳ１乃至Ｓ１１において、液晶ディスプレイは、表示データを表示する表示し、主制御部は、カメラ付ディジタル携帯電話機に関する状態を示す状態検知信号を取得し、記憶部は、カメラ付ディジタル携帯電話機に関する状態に関する状態と、液晶ディスプレイにおける表示周期とが予め対応付けられて登録されている加速度・表示周期対応テーブルを記憶し、主制御部は、記憶されているテーブルを参照して、取得された状態検知信号に基づいて、液晶ディスプレイにおける表示周期を変更し、液晶ディスプレイは、変更された表示周期で表示データを表示する。【選択図】  図３
2008015325.tif 000002
【特許請求の範囲】
【請求項１】
表示データを表示する表示手段と、
情報処理装置に関する状態を示す状態検知信号を取得する状態検知信号取得手段と、
前記情報処理装置に関する状態と、前記表示手段における表示周期とが予め対応付けられて登録されているテーブルを記憶する記憶手段と、
前記記憶手段により記憶されているテーブルを参照して、前記状態検知信号取得手段により取得された前記状態検知信号に基づいて、前記表示手段における表示周期を変更する変更手段を備え、
前記表示手段は、前記変更手段により変更された表示周期で前記表示データを表示することを特徴とする情報処理装置。
【請求項２】
前記情報処理装置に与えられる加速度を検知して加速度検知信号を生成する加速度検知信号生成手段をさらに備え、
前記状態検知信号取得手段は、前記加速度検知信号生成手段により生成された前記加速度検知信号を前記状態検知信号として取得し、
前記変更手段は、前記記憶手段により記憶されているテーブルを参照して、前記加速度検知信号に基づいて、前記表示手段における表示周期を、前記情報処理装置に与えられる加速度に関する状態に応じた表示周期に変更することを特徴とする請求項１に記載の情報処理装置。
【請求項３】
前記情報処理装置に照射される外光を検知して外光検知信号を生成する外光検知信号生成手段をさらに備え、
前記状態検知信号取得手段は、前記外光検知信号生成手段により生成された前記外光検知信号を前記状態検知信号として取得することを特徴とする請求項１に記載の情報処理装置。
【請求項４】
前記外光検知信号生成手段により予め設定された所定の時間内に生成された前記外光検知信号に基づいて、外光の周期を算出する算出手段と、
前記算出手段による算出結果に基づいて、前記情報処理装置に照射される外光が周期的に変化しているか否かを判定する外光周期判定手段とをさらに備え、
前記外光周期判定手段により前記情報処理装置に照射される外光が周期的に変化していると判定された場合、前記変更手段は、前記記憶手段により記憶されているテーブルを参照して、前記表示手段における表示周期を、前記情報処理装置に照射される外光が周期的に変化している場合に応じた表示周期に変更することを特徴とする請求項３に記載の情報処理装置。
【発明の詳細な説明】
【技術分野】
【０００１】
本発明は情報処理装置に係り、特に、表示部の表示周期を変更することができるようにする情報処理装置に関する。
【背景技術】
【０００２】
一般に、携帯電話機やＰＤＡ（Personal Digital Assistant）などでは、薄型で消費電力が比較的小さい液晶ディスプレイ（ＬＣＤ：Liquid Crystal Display）が表示部として用いられる。この液晶ディスプレイに表示データを表示する場合、予め設定された表示周期（例えば１／６０秒で、１秒間に６０フレーム）で表示される。すなわち、表示部の表示周期は、携帯電話機などを使用する際などの様々な条件下でもユーザが見やすいように、携帯電話機に関する状態（例えば、静止状態や使用状態など）に関係なく高めに設定されており、表示部の表示品質が常に一定以上で保たれるようになされている。
【０００３】
ここで、「表示品質」とは、ユーザが表示部を見て感じる心地よさを示す指標と定義する。
【０００４】
このような表示部の表示周期に関する技術として、表示部の表示周期を可変設定することができる技術が知られている（例えば、特許文献１参照）。
【０００５】
特許文献１に提案されている技術によれば、基地局からの位置情報に基づいて携帯電話機の位置を検出し、地域情報テーブルを参照して、検出された位置に基づいて表示周期を設定することができる。これにより、地域が変わったとしても、表示のちらつきを確実に防止しつつ、表示品質の向上を図ることができる。
【特許文献１】特開２００２−１４６６１号公報
【発明の開示】
【発明が解決しようとする課題】
【０００６】
ところで、表示部の表示品質は携帯電話機に関する状態（例えば、静止状態や使用状態など）によって異なるものであり、同じ表示品質であっても、携帯電話機に関する状態が異なれば、ユーザが表示部を見て不快に感じる場合もあるし、心地よいと感じる場合もある。すなわち、ユーザが表示部を見て不快とまでは感じない最低限の表示品質（以下、単に「最低限の表示品質」という。）は、携帯電話機に関する状態によって異なる。
【０００７】
そのため、携帯電話機に関する状態によっては最低限の表示品質がそれほど高くなく、表示部の表示周期を予め設定された高めの固定値から多少下げても、携帯電話機に関する状態に応じた最低限の表示品質をなお維持し、ユーザにとって不快とまでは感じない場合がある。例えば、携帯電話機が静止状態である場合などにおいては、表示部の表示周期を多少下げても、静止状態に応じた最低限の表示品質をなお維持することができる。
【０００８】
しかしながら、従来の携帯電話機においては、表示部の表示周期を多少下げても、場合によっては、携帯電話機に関する状態に応じた最低限の表示品質を維持することが可能であるにもかかわらず、どのような状態においても、常に、表示周期を予め設定された高めの表示周期に固定しているため、限られた資源しかない携帯電話機において無駄な電力を消費してしまうという課題があった。
【０００９】
このような課題は、特許文献１に提案されている技術によっても解決することはできない。
【００１０】
本発明は、このような状況に鑑みてなされたものであり、情報処理装置に関する状態に合わせて、表示部の表示周期を変更することができる情報処理装置を提供することを目的とする。
【課題を解決するための手段】
【００１１】
本発明の情報処理装置は、上述した課題を解決するために、表示データを表示する表示手段と、情報処理装置に関する状態を示す状態検知信号を取得する状態検知信号取得手段と、情報処理装置に関する状態と、表示手段における表示周期とが予め対応付けられて登録されているテーブルを記憶する記憶手段と、記憶手段により記憶されているテーブルを参照して、状態検知信号取得手段により取得された状態検知信号に基づいて、表示手段における表示周期を変更する変更手段を備え、表示手段は、変更手段により変更された表示周期で表示データを表示することを特徴とする。
【００１２】
本発明の情報処理装置においては、表示データが表示され、情報処理装置に関する状態を示す状態検知信号が取得され、情報処理装置に関する状態と、表示手段における表示周期とが予め対応付けられて登録されているテーブルが記憶され、記憶されているテーブルを参照して、状態検知信号取得手段により取得された状態検知信号に基づいて、表示手段における表示周期が変更され、変更された表示周期で表示データが表示される。
【発明の効果】
【００１３】
本発明によれば、情報処理装置に関する状態に合わせて、表示部の表示周期を変更することができる。
【発明を実施するための最良の形態】
【００１４】
以下、本発明の実施の形態について、図面を参照しながら説明する。
【００１５】
図１は、本発明に係る情報処理装置として適用可能なカメラ付ディジタル携帯電話機１の内部の構成を表している。
【００１６】
図１に示されるように、カメラ付ディジタル携帯電話機１は、カメラ付ディジタル携帯電話機１の各部を統括的に制御する主制御部１１に対して、電源回路部１２、操作入力制御部１３、画像エンコーダ１４、カメラインタフェース部１５、ＬＣＤ（Liquid Crystal Display）制御部１６、多重分離部１８、変復調回路部１９、音声コーデック２０、記憶部２７、音楽制御部２８、加速度センサ２９、および外光センサ３０がメインバス２１を介して互いに接続されるとともに、画像エンコーダ１４、画像デコーダ１７、多重分離部１８、変復調回路部１９、音声コーデック２０、および記録再生部２５が同期バス２２を介して互いに接続されて構成される。
【００１７】
電源回路部１２は、ユーザの操作により終話・電源キーがオン状態にされると、バッテリパックから各部に対して電力を供給することによりカメラ付ディジタル携帯電話機１を動作可能な状態に起動する。
【００１８】
主制御部１１は、ＣＰＵ（Central Processing Unit）、ＲＯＭ（Read Only Memory）、およびＲＡＭ（Random Access Memory）などでからなり、ＣＰＵは、ＲＯＭに記憶されているプログラムまたは記憶部２７からＲＡＭにロードされた各種のアプリケーションプログラムに従って各種の処理を実行するとともに、種々の制御信号を生成し、各部に供給することによりカメラ付ディジタル携帯電話機１を統括的に制御する。ＲＡＭは、ＣＰＵが各種の処理を実行する上において必要なデータなどを適宜記憶する。
【００１９】
なお、主制御部１１には、現在の日付と時刻を計測するタイマが内蔵されている。
【００２０】
ここで、ＣＰＵが実行する種々のアプリケーションプログラムは、ＲＯＭや記憶部２７に予めインストールしておくことができる。また、ＣＰＵが実行する種々のアプリケーションプログラムは、基地局（図示せず）を介して通信によってカメラ付ディジタル携帯電話機１にダウンロードすることにより、記憶部２７にインストールすることができる。さらに、ＣＰＵが実行する種々のアプリケーションプログラムは、メモリカード２６に記録しておき、記録再生部２５によって読み出して、記憶部２７にインストールすることも可能である。
【００２１】
カメラ付ディジタル携帯電話機１は、主制御部１１の制御に基づいて、音声通話モード時にマイクロフォン６で集音した音声信号を音声コーデック２０によってディジタル音声信号に変換、圧縮し、これを変復調回路部１９でスペクトラム拡散処理し、送受信回路部２３でディジタルアナログ変換処理及び周波数変換処理を施した後にアンテナ２４を介して送信する。
【００２２】
また、カメラ付ディジタル携帯電話機１は、音声通話モード時にアンテナ２４で受信した受信信号を増幅して周波数変換処理及びアナログディジタル変換処理を施し、変復調回路部１９でスペクトラム逆拡散処理し、音声コーデック２０によって伸張し、アナログ音声信号に変換した後、変換されたアナログ音声信号をスピーカ７を介して出力する。
【００２３】
さらに、カメラ付ディジタル携帯電話機１は、データ通信モード時に電子メールを送信する場合、操作キー２の操作によって入力された電子メールのテキストデータを操作入力制御部１３を介して主制御部１１に送出する。主制御部１１は、テキストデータを変復調回路部１９でスペクトラム拡散処理し、送受信回路部２３でディジタルアナログ変換処理及び周波数変換処理を施した後にアンテナ２４を介して基地局（図示せず）へ送信する。
【００２４】
これに対してカメラ付ディジタル携帯電話機１は、データ通信モード時に電子メールを受信する場合、アンテナ２４を介して基地局（図示せず）から受信した受信信号を変復調回路部１９でスペクトラム逆拡散処理して元のテキストデータを復元した後、ＬＣＤ制御部１６を介して液晶ディスプレイ４に電子メールとして表示する。
【００２５】
その後カメラ付ディジタル携帯電話機１は、ユーザの操作に応じて受信した電子メールを記録再生部２５を介してメモリカード２６に記録することも可能である。
【００２６】
カメラ付ディジタル携帯電話機１は、画像信号を送信しない場合には、ＣＣＤ（Charge Coupled Device）カメラ３で撮像した画像信号をカメラインタフェース部１５及びＬＣＤ制御部１６を介して液晶ディスプレイ４に直接表示する。
【００２７】
カメラ付ディジタル携帯電話機１は、データ通信モード時に画像信号を送信する場合、ＣＣＤカメラ３で撮像された画像信号をカメラインタフェース部１５を介して画像エンコーダ１４に供給する。
【００２８】
画像エンコーダ１４は、ＣＣＤカメラ３から供給された画像信号を、例えばＭＰＥＧ（Moving Picture Experts Group）４などの所定の符号化方式によって圧縮符号化することにより符号化画像信号に変換し、変換された符号化画像信号を多重分離部１８に送出する。このとき同時にカメラ付ディジタル携帯電話機１は、ＣＣＤカメラ３で撮像中にマイクロフォン６で集音した音声を音声コーデック２０を介してディジタルの音声信号として多重分離部１８に送出する。
【００２９】
多重分離部１８は、画像エンコーダ１４から供給された符号化画像信号と音声コーデック２０から供給された音声信号とを所定の方式で多重化し、その結果得られる多重化信号を変復調回路部１９でスペクトラム拡散処理し、送受信回路部２３でディジタルアナログ変換処理及び周波数変換処理を施した後にアンテナ２４を介して送信する。
【００３０】
これに対して、カメラ付ディジタル携帯電話機１では、データ通信モード時に、Ｗｅｂページのデータを受信することができる。
【００３１】
すなわち、カメラ付ディジタル携帯電話機１において、データ通信モードに、例えばＷｅｂページを要求するデータを送信すると、その要求に応じて、Ｗｅｂページのデータが基地局（図示せず）を介して送信される。このＷｅｂページのデータは、アンテナ２４を介して送受信回路部２３および変復調回路部１９で受信される。送受信回路部２３および変復調回路部１９は、受信したＷｅｂページのデータを主制御部１１に送出する。
【００３２】
主制御部１１は、Ｗｅｂページのデータを解釈し、その解釈に基づく画面（画像）を作成する。作成された画面は、主制御部１１からＬＣＤ制御部１６を介して液晶ディスプレイ４に供給されて表示される。すなわち、主制御部１１のＲＯＭまたは記憶部２７には、少なくともＷｅｂブラウザのアプリケーションプログラムがインストールされており、主制御部１１のＣＰＵは、ＲＡＭ上でＷｅｂブラウザのアプリケーションプログラムを実行することで、Ｗｅｂブラウザとして機能し、Ｗｅｂページのデータの解釈などを行う。
【００３３】
また、カメラ付ディジタル携帯電話機１は、データ通信モード時に例えばＷｅｂページなどにリンクされた動画像ファイルのデータを受信する場合、アンテナ２４を介して基地局（図示せず）から受信した受信信号を変復調回路部１９でスペクトラム逆拡散処理し、その結果得られる多重化信号を多重分離部１８に送出する。
【００３４】
多重分離部１８は、多重化信号を分離することにより符号化画像信号と音声信号とに分け、同期バス２２を介して符号化画像信号を画像デコーダ１７に供給すると共に音声信号を音声コーデック２０に供給する。画像デコーダ１７は、符号化画像信号をＭＰＥＧ４などの所定の符号化方式に対応した復号化方式でデコードすることにより再生動画像信号を生成し、生成された再生動画像信号をＬＣＤ制御部１６を介して液晶ディスプレイ４に供給し、これにより、例えば、Ｗｅｂページなどにリンクされた動画像ファイルに含まれる動画像データが表示される。
【００３５】
このとき同時に音声コーデック２０は、音声信号をアナログ音声信号に変換した後、これをスピーカ７に供給し、これにより、例えば、Ｗｅｂページなどにリンクされた動画像ファイルに含まる音声信号が再生される。この場合も電子メールの場合と同様にカメラ付ディジタル携帯電話機１は、受信したＷｅｂページなどにリンクされたデータをユーザの操作により記録再生部２５を介してメモリカード２６に記録することが可能である。
【００３６】
記憶部２７は、例えば、電気的に書換えや消去が可能な不揮発性メモリであるフラッシュメモリ素子などからなり、主制御部１１のＣＰＵにより実行される種々のアプリケーションプログラムや種々のデータ群を格納している。また、記憶部２７は、必要に応じて、ユーザの操作に応じて受信した電子メールや、受信したＷｅｂページなどにリンクされた動画像ファイルに含まれる動画像データ、あるいはネットワーク（例えば、インターネット、ＬＡＮ（Local Area Network）、ＷＡＮ（Wide Area Network）、その他の各種のネットワークを含む）などを介して取得した種々のコンテンツを記憶する。
【００３７】
音楽制御部２８は、記憶部２７に記憶されているオーディオデータの再生動作および一時停止動作や、巻戻し機能、早送り機能、音量ダウン動作、音量アップ動作などの実行を制御する。
【００３８】
加速度センサ２９は、カメラ付ディジタル携帯電話機１に与えられる加速度を必要に応じて検知して加速度検知信号を生成し、生成された加速度生成信号を主制御部１１に供給する。
【００３９】
外光センサ３０は、例えばフォトダイオードなどからなり、主制御部１１の制御に従い、カメラ付ディジタル携帯電話機１に照射される外光を検知して外光検知信号を生成し、生成された外光検知信号を主制御部１１に供給する。
【００４０】
図２は、ＬＣＤ制御部１６の内部の詳細な構成を表している。
【００４１】
図２に示されるように、ＬＣＤ制御部１６は、主制御部１１からメインバス２１を介して供給された表示データを記憶する表示メモリ３１、ＳＥＧ出力回路３３およびＣＯＭ出力回路３４を動作させるための表示クロックを生成するクロック生成回路３２、および、表示メモリ３１から読み出された表示データに基づいて列データおよび行データをそれぞれ生成するＳＥＧ出力回路３３およびＣＯＭ出力回路３４により構成される。
【００４２】
表示メモリ３１は、例えばＶＲＡＭ（Video Random Access Memory）などからなり、主制御部１１から供給された種々の表示データをメインバス２１を介して取得し、取得された種々の表示データを逐次記憶するとともに、記憶されている種々の表示データをＳＥＧ出力回路３３およびＣＯＭ出力回路３４に適宜供給する。
【００４３】
クロック生成回路３２は、主制御部１１からメインバス２１を介して供給された、変更された表示周期に関するデータである表示周期変更データを取得し、取得された表示周期変更データに基づいて、ＳＥＧ出力回路３３およびＣＯＭ出力回路３４を動作させるための所定の周期の表示クロックを生成し、生成された所定の周期の表示クロックをＳＥＧ出力回路３３およびＣＯＭ出力回路３４にそれぞれ供給する。
【００４４】
ＳＥＧ出力回路３３およびＣＯＭ出力回路３４は、クロック生成回路３２から供給された所定の周期の表示クロックに合わせて、表示メモリ３１に記憶されている種々の表示データを適宜読み出し、読み出された種々の表示データに基づいて列データおよび行データをそれぞれ生成し、生成された列データおよび行データを液晶ディスプレイ４に供給する。
【００４５】
次に、図３のフローチャートを参照して、図１のカメラ付ディジタル携帯電話機１における表示周期変更処理について説明する。この表示周期変更処理は、例えば、ユーザがカメラ付ディジタル携帯電話機１を使用しようとして、カメラ付ディジタル携帯電話機１を静止状態から急に動かしたときなどに開始される。なお、この時点においては、静止状態において最低限の表示品質を維持することができる液晶ディスプレイ４の表示周期（すなわち、液晶ディスプレイ４の表示周期の中で低い方の表示周期で、後述する加速度・表示周期対応テーブル３５において加速度に関する状態に対応付けられる表示周期ｂ１）で表示されている。
【００４６】
ステップＳ１において、加速度センサ２９は、カメラ付ディジタル携帯電話機１に与えられる加速度を検知して加速度検知信号を生成し、生成された加速度検知信号を主制御部１１に供給する。この加速度検知信号には、カメラ付ディジタル携帯電話機１に与えられる加速度に関するデータが含まれる。
【００４７】
ステップＳ２において、主制御部１１は、加速度センサ２９から供給された加速度検知信号を取得する。
【００４８】
ステップＳ３において、主制御部１１は、記憶部２７に予め記憶されている、カメラ付ディジタル携帯電話機１１に与えられる加速度に関する状態と、液晶ディスプレイ４の表示周期とが対応付けられている加速度・表示周期テーブル３５を読み出す。
【００４９】
図４は、記憶部２７に予め記憶されている加速度・表示周期対応テーブルの構成例を表している。
【００５０】
図４の加速度・表示周期対応テーブルの第１列目乃至第２列目には、「加速度に関する状態」および「表示周期」が対応付けられて記載されており、それぞれ、カメラ付ディジタル携帯電話機１に与えられる加速度に関する状態、および、カメラ付ディジタル携帯電話機１に与えられる加速度に応じた液晶ディスプレイ４の表示周期を示している。
【００５１】
図４の第１行目の場合、「加速度に関する状態」は「Ｘ＜ａ１」であり、カメラ付ディジタル携帯電話機１に与えられる加速度に関する状態が「Ｘ＜ａ１」であること（すなわち、カメラ付ディジタル携帯電話機１に関する状態が、ユーザが使用をしていない静止状態であること）を示している。「表示周期」は「ｂ１」であり、カメラ付ディジタル携帯電話機１に与えられる加速度に応じた液晶ディスプレイ４の表示周期が「ｂ１」であることを示している。
【００５２】
図４の第２行目の場合、「加速度に関する状態」は「ａ１≦Ｘ」であり、カメラ付ディジタル携帯電話機１に与えられる加速度に関する状態が「ａ１≦Ｘ」であること（すなわち、カメラ付ディジタル携帯電話機１に関する状態が、ユーザが使用する使用状態であること）を示している。「表示周期」は「ｂ２」であり、カメラ付ディジタル携帯電話機１に与えられる加速度に応じた液晶ディスプレイ４の表示周期が「ｂ２」であることを示している。
【００５３】
なお、カメラ付ディジタル携帯電話機１に関する状態が静止状態に対応付けられた表示周期ｂ１は、カメラ付ディジタル携帯電話機１に関する状態が使用状態に対応付けられた表示周期ｂ２よりも低い値に設定される。例えば表示周期ｂ１は１／３０秒で、１秒間に３０フレームなどに予め設定される。
【００５４】
ステップＳ４において、主制御部１１は、読み出された加速度・表示周期対応テーブルを参照して、取得された加速度検知信号に基づいて、現在の液晶ディスプレイ４の表示周期を変更する必要があるか否かを判定する。例えば、現在の液晶ディスプレイ４の表示周期が、カメラ付ディジタル携帯電話機１の静止状態に応じた液晶ディスプレイ４の表示周期ｂ１である場合に、ユーザがカメラ付ディジタル携帯電話機１を使用しようとして、カメラ付ディジタル携帯電話機１を静止状態から急に動かして使用状態にしたとき、現在の液晶ディスプレイ４の表示周期ｂ１を表示周期ｂ２に変更する必要があると判定される。
【００５５】
また、例えば、現在の液晶ディスプレイ４の表示周期が、カメラ付ディジタル携帯電話機１の使用状態に応じた液晶ディスプレイ４の表示周期ｂ２である場合に、カメラ付ディジタル携帯電話機１の状態が静止状態になると、現在の液晶ディスプレイ４の表示周期ｂ２を表示周期ｂ１に変更する必要があると判定される。
【００５６】
一方、例えば、現在の液晶ディスプレイ４の表示周期が、カメラ付ディジタル携帯電話機１の使用状態に応じた液晶ディスプレイ４の表示周期ｂ２である場合に、ユーザがカメラ付ディジタル携帯電話機１をさらに使用しようとして、カメラ付ディジタル携帯電話機１を急に動かして使用状態にしたとき、現在の液晶ディスプレイ４の表示周期ｂ２を変更する必要はないと判定される。
【００５７】
また、例えば、現在の液晶ディスプレイ４の表示周期が、カメラ付ディジタル携帯電話機１の静止状態に応じた液晶ディスプレイ４の表示周期ｂ１である場合に、カメラ付ディジタル携帯電話機１の状態が静止状態であるとき、現在の液晶ディスプレイ４の表示周期ｂ２を変更する必要はないと判定される。
【００５８】
ステップＳ４において現在の液晶ディスプレイ４の表示周期を変更する必要があると判定された場合、主制御部１１はステップＳ５で、読み出された加速度・表示周期対応テーブルを参照して、取得された加速度検知信号に基づいて、現在の液晶ディスプレイ４の表示周期を、カメラ付ディジタル携帯電話機１に与えられる加速度に関する状態に応じた液晶ディスプレイ４の表示周期に変更する。
【００５９】
例えば、加速度センサ２９によりカメラ付ディジタル携帯電話機１に与えられた加速度に関する状態が「ａ１≦Ｘ」であると検知された場合、図４の加速度・表示周期テーブル３５においてカメラ付ディジタル携帯電話機１に与えられた加速度に関する状態が「ａ１≦Ｘ」であるときに対応付けられた表示周期が「ｂ２」であることから、現在の液晶ディスプレイ４の表示周期は、カメラ付ディジタル携帯電話機１に与えられる加速度（「ａ１≦Ｘ」の加速度）に応じた液晶ディスプレイ４の表示周期ｂ２に変更される。
【００６０】
ステップＳ６において、主制御部１１は、変更された表示周期に関するデータである表示周期変更データをＬＣＤ制御部１６および記憶部２７に供給する。記憶部２７は、主制御部１１から供給された表示周期変更データを取得し、取得された表示周期変更データを記憶する。
【００６１】
ステップＳ７において、ＬＣＤ制御部１６のクロック生成回路３２は、主制御部１１から供給された表示周期変更データをメインバス２１を介して取得し、取得された表示周期変更データに基づいて、ＳＥＧ出力回路３３およびＣＯＭ出力回路３４を動作させるための所定の周期の表示クロックを生成し、生成された所定の周期の表示クロックをＳＥＧ出力回路３３およびＣＯＭ出力回路３４にそれぞれ供給する。
【００６２】
ステップＳ８において、ＳＥＧ出力回路３３およびＣＯＭ出力回路３４は、クロック生成回路３２から供給された所定の周期の表示クロックに合わせて、表示メモリ３１に記憶されている種々の表示データを適宜読み出し、読み出された種々の表示データに基づいて列データおよび行データをそれぞれ生成し、生成された列データおよび行データを液晶ディスプレイ４に供給する。
【００６３】
ステップＳ９において、液晶ディスプレイ４は、ＳＥＧ出力回路３３およびＣＯＭ出力回路３４から供給された列データおよび行データを取得し、取得された列データおよび行データに基づいて、カメラ付ディジタル携帯電話機１に与えられる加速度に応じた液晶ディスプレイ４の表示周期で表示する。この場合、カメラ付ディジタル携帯電話機１に関する状態が使用状態である場合に応じた液晶ディスプレイ４の表示周期ｂ２で表示される。
【００６４】
これにより、例えばユーザがカメラ付ディジタル携帯電話機１を静止状態から急に動かし、カメラ付ディジタル携帯電話機１の使用を開始する場合に、液晶ディスプレイ４の表示周期を、使用状態においてもチラつきなどが生じない最低限の表示品質を維持するために、高めの表示周期ｂ２に変更することができる。従って、ユーザは、カメラ付ディジタル携帯電話機１の使用する場合に、使用状態においてもチラつきなどが生じない表示品質で表示された表示データを見ながら、カメラ付ディジタル携帯電話機１を使用することができる。
【００６５】
ステップＳ１０において、主制御部１１は、表示周期を変更した後、所定の時間が経過したか否かを判定し、表示周期を変更した後、所定の時間が経過したと判定するまで待機する。
【００６６】
ステップＳ１０において表示周期を変更した後、所定の時間が経過したと判定された場合、主制御部１１はステップＳ１１で、操作入力制御部１３を介して、ユーザにより操作キー２が表示周期変更後の所定の時間内に操作されたか否かを判定する。
【００６７】
ステップＳ１１においてユーザにより操作キー２が表示周期変更後の所定の時間内に操作されたと判定された場合、処理はステップＳ１０に戻り、ステップＳ１０以降の処理が繰り返される。
【００６８】
これにより、表示周期が変更された後、所定の時間内にいずれかの操作キー２がユーザにより操作された場合、カメラ付ディジタル携帯電話機１は、表示周期変更処理によりすでに変更された液晶ディスプレイ４の表示周期で継続して表示することができる。従って、ユーザは、表示周期が変更された後、所定の時間内にいずれかの操作キー２を操作しさえれば、カメラ付ディジタル携帯電話機１の使用状態に応じた液晶ディスプレイ４の表示周期で液晶ディスプレイ４において継続して表示させることができる。
【００６９】
ステップＳ１１においてユーザにより操作キー２が所定の時間内に操作されていないと判定された場合、処理はステップＳ１に戻り、ステップＳ１以降の処理が繰り返される。
【００７０】
その後、例えば、ユーザによるカメラ付ディジタル携帯電話機１の使用が終了し、カメラ付ディジタル携帯電話機１が静止状態になると、静止状態であることから加速度センサ２９で生成される加速度検知信号に含まれる加速度に関するデータは「Ｘ＜ａ１」となり、ステップＳ５の処理により現在の表示周期が静止状態に応じた低い表示周期ｂ１に変更される。
【００７１】
そして、カメラ付ディジタル携帯電話機１がしばらく静止状態のままであると、ステップＳ４において現在の液晶ディスプレイ４の表示周期を変更する必要はないと判定され、処理はステップＳ１に戻り、ステップＳ１以降の処理が繰り返される。
【００７２】
本発明の実施形態においては、加速度センサ２９により逐次検知された加速度検知信号に基づいて、最低限の表示品質がそれほど高くないカメラ付ディジタル携帯電話機１の静止状態では、静止状態で最低限の表示品質を維持することができる低い表示周期ｂ１に変更し、最低限の表示品質が高いカメラ付ディジタル携帯電話機１の使用状態では、使用状態で最低限の表示品質を維持することができる高めの表示周期ｂ２に変更するようにしたので、カメラ付ディジタル携帯電話機１に関する状態（静止状態か使用状態か）に合わせて、表示部（液晶ディスプレイ４）の表示周期を変更することができる。従って、カメラ付ディジタル携帯電話機１に関する状態に応じた最低限の表示品質を維持しつつ、消費電力を低減することができる。
【００７３】
なお、図４の加速度・表示周期対応テーブル３５においては、加速度に関する状態として、「Ｘ＜ａ１」と「ａ２≦Ｘ」の２つに分類するようにしたが、このような場合に限られず、３以上に分類して表示周期をより段階的に設定するようにしてもよい。これにより、カメラ付ディジタル携帯電話機１に関する状態に応じた表示品質を維持しつつ、より消費電力を低減することができる。
【００７４】
ところで、蛍光灯下でカメラ付ディジタル携帯電話機１を使用する場合、液晶ディスプレイ４に蛍光灯下で特有のチラつきが生じる場合がある。すなわち、蛍光灯は、一般に、商用電源周波数５０Ｈｚ乃至６０Ｈｚの２倍の１００Ｈｚ乃至１２０Ｈｚで明暗を繰り返しているが、商用電源周波数との相互干渉などにより蛍光灯内において照度のムラが発生し、その結果、液晶ディスプレイ４においてチラつきが生じることがある（例えば、特開２００２−１４６６１号公報参照）。このようなチラつきは、液晶ディスプレイ４における表示品質を低下させるため、好ましくはない。そこで、このチラつきを抑制するため、液晶ディスプレイ４の表示周期をチラつきを抑制するのに好適な表示周期に予め設定する方法も考えられる。しかし、チラつきを抑制するのに好適な表示周期は、一般に、カメラ付ディジタル携帯電話機１が静止状態である際の最低限の表示品質を維持するために必要な表示周期ｂ１より高く、太陽光下においてチラつきは生じないため、液晶ディスプレイ４の表示周期を予めチラつきを抑制するのに好適な表示周期に設定してしまうと、消費電力を無駄に消費してしまう。
【００７５】
そこで、例えばカメラ付ディジタル携帯電話機１に照射される外光を外光検知センサ３０を用いて検知して、カメラ付ディジタル携帯電話機１に照射される外光が蛍光灯であるときのみ、液晶ディスプレイ４の表示周期を変更するようにしてもよい。以下、この表示周期変更方法を用いた表示周期変更処理について説明する。
【００７６】
図５のフローチャートを参照して、図１のカメラ付ディジタル携帯電話機１における他の表示周期変更処理について説明する。この表示周期変更処理は、例えば、ユーザがカメラ付ディジタル携帯電話機１を蛍光灯下で使用しようとしたときなどに開始される。なお、この時点においては、蛍光灯下ではない例えば太陽光下において最低限の表示品質を維持することができる液晶ディスプレイ４の表示周期（すなわち、液晶ディスプレイ４の表示周期の中で低い方の表示周期で、後述する外光周期・表示周期対応テーブル３６において加速度に関する状態に対応付けられる表示周期ｃ１）で表示されている。
【００７７】
ステップＳ２１において、主制御部１１は、操作入力制御部１３を介して、ユーザによりいずれかの操作キー２が操作されたか否かを判定し、ユーザによりいずれかの操作キー２が操作されたと判定するまで待機する。
【００７８】
ステップＳ２１においてユーザによりいずれかの操作キー２が操作されたと判定された場合、主制御部１１はステップＳ２２で、外光センサ３０にカメラ付ディジタル携帯電話機１に照射される外光の検知を開始させるための外光検知開始制御信号を生成し、生成された外光検知開始制御信号を外光センサ３０に供給する。
【００７９】
これにより、主制御部１１は、外光センサ３０を用いて常にカメラ付ディジタル携帯電話機１に照射される外光が蛍光灯であるか否かを監視せずに、ユーザが蛍光灯下でカメラ付ディジタル携帯電話機１を使用するときのみに後述する表示周期変更処理の実行の開始をすることができる。従って、カメラ付ディジタル携帯電話機１に関する状態、特にカメラ付ディジタル携帯電話機１に照射される外光に関する状態に応じた最低限の表示品質を維持しつつ、より消費電力を低減することができる。
【００８０】
ステップＳ２３において、外光センサ３０は、主制御部１１から供給された外光検知開始制御信号に基づいて、カメラ付ディジタル携帯電話機１に照射される外光の検知を開始し、カメラ付ディジタル携帯電話機１に照射される外光を予め設定された所定の時間検知して外光検知信号を生成し、生成された外光検知信号を主制御部１１に逐次供給する。
【００８１】
ステップＳ２４において、主制御部１１は、予め設定された所定の時間内で、外光センサ３０から供給された外光検知信号を逐次取得する。
【００８２】
ステップＳ２５において、主制御部１１は、予め設定された所定の時間内で取得された外光検知信号に基づいて、カメラ付ディジタル携帯電話機１に照射される外光の周期を算出する。例えば、カメラ付ディジタル携帯電話機１が太陽光下にある場合、カメラ付ディジタル携帯電話機１に照射される外光の周期は算出されない。一方、カメラ付ディジタル携帯電話機１が蛍光灯下にある場合でカメラ付ディジタル携帯電話機１に照射される蛍光灯（外光）の周期が算出される。
【００８３】
ステップＳ２６において、主制御部１１は、カメラ付ディジタル携帯電話機１に照射される外光の周期の算出結果に基づいて、カメラ付ディジタル携帯電話機１に照射される外光が周期的に変化しているか否かを判定する（すなわち、メラ付ディジタル携帯電話機１に照射される外光が蛍光灯であるか否かを判定する）。
【００８４】
例えば、カメラ付ディジタル携帯電話機１が太陽光下にある場合、カメラ付ディジタル携帯電話機１に照射される外光の周期は算出されないことから、カメラ付ディジタル携帯電話機１に照射される外光が周期的に変化していないと判定される（すなわち、カメラ付ディジタル携帯電話機１に照射される外光が蛍光灯ではない判定される）。一方、カメラ付ディジタル携帯電話機１が蛍光灯下にある場合でカメラ付ディジタル携帯電話機１に照射される蛍光灯（外光）の周期が算出されることから、カメラ付ディジタル携帯電話機１に照射される外光が周期的に変化していると判定される（すなわち、カメラ付ディジタル携帯電話機１に照射される外光が蛍光灯である判定される）。
【００８５】
ステップＳ２６においてカメラ付ディジタル携帯電話機１に照射される外光が周期的に変化していないと判定された場合、処理はステップＳ２１に戻り、その後、ステップＳ２１以降の処理が繰り返される。
【００８６】
これにより、カメラ付ディジタル携帯電話機１に照射される外光が太陽光である場合、ステップＳ２７以降の表示周期変更処理は実行されず、液晶ディスプレイ４の表示周期は、予めチラつきを抑制するのに好適な表示周期（図６の表示周期ｃ２）に変更されない。すなわち、液晶ディスプレイ４の表示周期は、蛍光灯下ではない例えば太陽光下において最低限の表示品質を維持することができる液晶ディスプレイ４の表示周期ｃ１のままとなる。
【００８７】
ステップＳ２６においてカメラ付ディジタル携帯電話機１に照射される外光が周期的に変化していると判定された場合、主制御部１１はステップＳ２７で、記憶部２７に予め記憶されている外光周期・表示周期対応テーブル３６を読み出す。
【００８８】
図６は、記憶部２７に予め記憶されている外光周期・表示周期対応テーブル３６の構成例を表している。
【００８９】
図６の外光周期・表示周期対応テーブル３６の第１列目乃至第２列目には、「外光周期に関する状態」および「表示周期」が対応付けられて記載されており、それぞれ、カメラ付ディジタル携帯電話機１に照射される外光に関する状態、および、カメラ付ディジタル携帯電話機１に照射される外光に関する状態に応じた液晶ディスプレイ４の表示周期を示している。
【００９０】
図６の第１行目の場合、「外光周期に関する状態」は「周期的ではない」であり、カメラ付ディジタル携帯電話機１に照射される外光に関する状態が「周期的ではない」こと（すなわち、カメラ付ディジタル携帯電話機１に照射される外光が蛍光灯ではないこと）を示している。「表示周期」は「ｃ１」であり、カメラ付ディジタル携帯電話機１に照射される外光（蛍光灯ではない外光）に関する状態に応じた液晶ディスプレイ４の表示周期が「ｃ１」であることを示している。
【００９１】
図６の第２行目の場合、「外光周期に関する状態」は「周期的である」であり、カメラ付ディジタル携帯電話機１に照射される外光に関する状態が「周期的である」こと（すなわち、カメラ付ディジタル携帯電話機１に照射される外光が蛍光灯であること）を示している。「表示周期」は「ｃ２」であり、カメラ付ディジタル携帯電話機１に照射される外光（蛍光灯）に関する状態に応じた液晶ディスプレイ４の表示周期が「ｃ２」であることを示している。
【００９２】
なお、カメラ付ディジタル携帯電話機１に照射される外光に関する状態が周期的ではない場合（すなわち、カメラ付ディジタル携帯電話機１に照射される外光が蛍光灯ではない場合）に対応付けられた表示周期ｃ１は、カメラ付ディジタル携帯電話機１に照射される外光に関する状態が周期的である場合（すなわち、カメラ付ディジタル携帯電話機１に照射される外光が蛍光灯である場合）に対応付けられた表示周期ｃ２よりも低い値に設定される。
【００９３】
ステップＳ２８において、主制御部１１は、読み出された外光周期・表示周期対応テーブルを参照して、現在の液晶ディスプレイ４の表示周期を、カメラ付ディジタル携帯電話機１に照射される外光に関する状態が周期的に変化している場合に応じた液晶ディスプレイ４の表示周期ｃ２に変更する。
【００９４】
ステップＳ２９において、主制御部１１は、変更された表示周期に関するデータである表示周期変更データをＬＣＤ制御部１６および記憶部２７に供給する。記憶部２７は、主制御部１１から供給された表示周期変更データを取得し、取得された表示周期変更データを記憶する。
【００９５】
ステップＳ３０において、ＬＣＤ制御部１６のクロック生成回路３２は、主制御部１１から供給された表示周期変更データをメインバス２１を介して取得し、取得された表示周期変更データ（変更された表示周期ｃ２に関するデータ）に基づいて、ＳＥＧ出力回路３３およびＣＯＭ出力回路３４を動作させるための所定の周期の表示クロックを生成し、生成された所定の周期の表示クロックをＳＥＧ出力回路３３およびＣＯＭ出力回路３４にそれぞれ供給する。
【００９６】
ステップＳ３１において、ＳＥＧ出力回路３３およびＣＯＭ出力回路３４は、クロック生成回路３２から供給された所定の周期の表示クロックに合わせて、表示メモリ３１に記憶されている種々の表示データを適宜読み出し、読み出された種々の表示データに基づいて列データおよび行データをそれぞれ生成し、生成された列データおよび行データを液晶ディスプレイ４に供給する。
【００９７】
ステップＳ３２において、液晶ディスプレイ４は、ＳＥＧ出力回路３３およびＣＯＭ出力回路３４から供給された列データおよび行データを取得し、取得された列データおよび行データに基づいて、カメラ付ディジタル携帯電話機１に照射される外光に関する状態が周期的である場合（すなわち、カメラ付ディジタル携帯電話機１に照射される外光が蛍光灯である場合）に応じた液晶ディスプレイ４の表示周期ｃ２で表示する。
【００９８】
これにより、例えばユーザがカメラ付ディジタル携帯電話機１を蛍光灯下で使用を開始する場合に、液晶ディスプレイ４の表示周期を、蛍光灯下においてもチラつきなどが生じない最低限の表示品質を維持するために好適な表示周期ｃ２に変更することができる。従って、ユーザは、カメラ付ディジタル携帯電話機１を蛍光灯下において使用する場合に、蛍光灯下においてもチラつきなどが生じない表示品質で表示された表示データを見ながら、カメラ付ディジタル携帯電話機１を使用することができる。
【００９９】
ステップＳ３３において、主制御部１１は、表示周期を変更した後、所定の時間が経過したか否かを判定し、表示周期を変更した後、所定の時間が経過したと判定するまで待機する。
【０１００】
ステップＳ３３において表示周期を変更した後、所定の時間が経過したと判定された場合、主制御部１１はステップＳ３４で、操作入力制御部１３を介して、ユーザにより操作キー２が表示周期変更後の所定の時間内に操作されたか否かを判定する。
【０１０１】
ステップＳ３４においてユーザにより操作キー２が表示周期変更後の所定の時間内に操作されたと判定された場合、処理はステップＳ３３に戻り、ステップＳ３３以降の処理が繰り返される。
【０１０２】
これにより、表示周期が変更された後、所定の時間内にいずれかの操作キー２がユーザにより操作された場合、カメラ付ディジタル携帯電話機１は、表示周期変更処理によりすでに変更された液晶ディスプレイ４の表示周期で継続して表示することができる。従って、ユーザは、表示周期が変更された後、所定の時間内にいずれかの操作キー２を操作しさえすれば、カメラ付ディジタル携帯電話機１に照射される外光に関する状態が周期的である場合（すなわち、カメラ付ディジタル携帯電話機１に照射される外光が蛍光灯である場合）に応じた液晶ディスプレイ４の表示周期ｃ２で液晶ディスプレイ４において継続して表示させることができる。
【０１０３】
ステップＳ３４においてユーザにより操作キー２が所定の時間内に操作されていないと判定された場合、主制御部１１はステップＳ３５で、読み出された外光周期・表示周期対応テーブルを参照して、現在の液晶ディスプレイ４の表示周期を、カメラ付ディジタル携帯電話機１に照射される外光に関する状態が周期的に変化していない場合に応じた液晶ディスプレイ４の表示周期ｃ１に変更する。
【０１０４】
ステップＳ３６において、主制御部１１は、変更された表示周期に関するデータである表示周期変更データをＬＣＤ制御部１６および記憶部２７に供給する。記憶部２７は、主制御部１１から供給された表示周期変更データを取得し、取得された表示周期変更データを記憶する。
【０１０５】
ステップＳ３７において、ＬＣＤ制御部１６のクロック生成回路３２は、主制御部１１から供給された表示周期変更データをメインバス２１を介して取得し、取得された表示周期変更データ（変更された表示周期ｃ１に関するデータ）に基づいて、ＳＥＧ出力回路３３およびＣＯＭ出力回路３４を動作させるための所定の周期の表示クロックを生成し、生成された所定の周期の表示クロックをＳＥＧ出力回路３３およびＣＯＭ出力回路３４にそれぞれ供給する。
【０１０６】
ステップＳ３８において、ＳＥＧ出力回路３３およびＣＯＭ出力回路３４は、クロック生成回路３２から供給された所定の周期の表示クロックに合わせて、表示メモリ３１に記憶されている種々の表示データを適宜読み出し、読み出された種々の表示データに基づいて列データおよび行データをそれぞれ生成し、生成された列データおよび行データを液晶ディスプレイ４に供給する。
【０１０７】
ステップＳ３９において、液晶ディスプレイ４は、ＳＥＧ出力回路３３およびＣＯＭ出力回路３４から供給された列データおよび行データを取得し、取得された列データおよび行データに基づいて、カメラ付ディジタル携帯電話機１に照射される外光に関する状態が周期的に変化していない場合（すなわち、カメラ付ディジタル携帯電話機１に照射される外光が蛍光灯ではない場合）に応じた液晶ディスプレイ４の表示周期ｃ１で表示する。
【０１０８】
これにより、例えばユーザがカメラ付ディジタル携帯電話機１を蛍光灯下で使用を終了した場合に、液晶ディスプレイ４の表示周期を、蛍光灯下ではない例えば太陽光下でチラつきなどが生じない最低限の表示品質を維持するために好適な表示周期ｃ１に変更することができる。
【０１０９】
その後、処理はステップＳ２１に戻り、ステップＳ２１以降の処理が繰り返される。
【０１１０】
本発明の実施形態においては、外光センサ３０により検知された外光検知信号に基づいて、カメラ付ディジタル携帯電話機１に照射される外光が周期的に変化しているか否か（カメラ付ディジタル携帯電話機１に照射される外光が蛍光灯であるか否か）を判定し、カメラ付ディジタル携帯電話機１に照射される外光が周期的に変化していると判定された場合（カメラ付ディジタル携帯電話機１に照射される外光が蛍光灯である場合）には、蛍光灯下においてもチラつきなどが生じない最低限の表示品質を維持するために好適な表示周期ｃ２に変更し、その後、蛍光灯下ではない例えば太陽光下でチラつきなどが生じない最低限の表示品質を維持するために好適な表示周期ｃ１に変更するようにしたので、カメラ付ディジタル携帯電話機１に照射される外光に関する状態（蛍光灯下であるか否か）に合わせて、表示部の表示周期を変更することができる。従って、カメラ付ディジタル携帯電話機１に関する状態、特にカメラ付ディジタル携帯電話機１に照射される外光に関する状態に応じた最低限の表示品質を維持しつつ、消費電力を低減することができる。
【０１１１】
なお、図５のフローチャートを用いて説明した表示周期変更処理においては、蛍光灯下であると判定された場合には常に表示周期変更処理を実行するようにしたが、例えば蛍光灯において照度のムラが発生しているか否かを算出された算出結果に基づいてさらに判定し、例えば蛍光灯において照度のムラが発生している場合のみ表示周期を変更するようにしてもよい。
【０１１２】
また、図５のフローチャートを用いて説明した表示周期変更処理においては、ユーザがいずれかの操作キー２を操作した後、表示周期変更処理を開始するようにしているが、このような場合に限られず、例えば図示せぬ基地局から何らかの信号（例えば、他のカメラ付ディジタル携帯電話機１からの着信の通知に関する信号など）を受信したときに、表示周期変更処理を開始するようにしてもよい。以下、この方法を用いた表示周期変更処理について説明する。
【０１１３】
図７のフローチャートを参照して、図１のカメラ付ディジタル携帯電話機１における他の表示周期変更処理について説明する。なお、図７のステップＳ４３乃至Ｓ５９の処理については、図５のステップＳ２３乃至Ｓ３９の処理と同様であり、その説明は繰り返しになるので省略する。
【０１１４】
ステップＳ４１において、主制御部１１は、送受信回路部２３および変復調回路部１９を介して、図示せぬ基地局から何らかの信号（例えば、他のカメラ付ディジタル携帯電話機１からの着信の通知に関する信号など）を受信したか否かを判定し、図示せぬ基地局から何らかの信号を受信したと判定するまで待機する。
【０１１５】
ステップＳ４１において図示せぬ基地局から何らかの信号を受信したと判定された場合、主制御部１１はステップＳ４２で、外光センサ３０にカメラ付ディジタル携帯電話機１に照射される外光の検知を開始させるための外光検知開始制御信号を生成し、生成された外光検知開始制御信号を外光センサ３０に供給する。
【０１１６】
その後、処理はステップＳ４３に進み、ステップＳ４３以降の表示周期変更処理が実行される。
【０１１７】
これにより、主制御部１１は、外光センサ３０を用いて常にカメラ付ディジタル携帯電話機１に照射される外光が蛍光灯であるか否かを監視せずに、図示せぬ基地局から何らかの信号（例えば、他のカメラ付ディジタル携帯電話機１からの着信の通知に関する信号など）を受信した場合に、ユーザが蛍光灯下でカメラ付ディジタル携帯電話機１を使用するときのみに表示周期変更処理の実行の開始をすることができる。従って、カメラ付ディジタル携帯電話機１に関する状態、特にカメラ付ディジタル携帯電話機１に照射される外光に関する状態に応じた最低限の表示品質を維持しつつ、より消費電力を低減することができる。
【０１１８】
なお、本発明の実施形態において用いられたカメラ付ディジタル携帯電話機１に与えられる加速度に関する状態、およびカメラ付ディジタル携帯電話機１に照射される外光に関する状態を「カメラ付ディジタル携帯電話機１に関する状態」と定義する。また、加速度検知信号および外光検知信号を「カメラ付ディジタル携帯電話機１に関する状態を示す状態検知信号」と定義する。
【０１１９】
さらに、「カメラ付ディジタル携帯電話機１に関する状態」には、これら以外のものも含まれ、カメラ付ディジタル携帯電話機１に関する何らかの状態であればよく、例えば、カメラ付ディジタル携帯電話機１に内蔵された磁気センサを用いてカメラ付ディジタル携帯電話機１の形状に関する状態を検知し、閉じられた状態（クラムシェル状態）から開いた状態になったと検知されたときに、表示周期変更処理を実行するようにしてもよい。
【０１２０】
なお、本発明の実施形態においては、本発明に係る情報処理装置としてカメラ付ディジタル携帯電話機１に適用するようにしたが、カメラ付ディジタル携帯電話機１以外にも、ＰＤＡ（Personal Digital Assistant）やパーソナルコンピュータ、携帯型音楽再生機、その他の情報処理装置にも適用することができる。
【０１２１】
また、本発明の実施形態において説明した一連の処理は、ソフトウェアにより実行させることもできるが、ハードウェアにより実行させることもできる。
【０１２２】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１２３】
【図１】本発明に係る情報処理装置として適用可能なカメラ付ディジタル携帯電話機の内部の構成を示すブロック図。
【図２】図１のＬＣＤ制御部の内部の詳細な構成を示すブロック図。
【図３】図１のカメラ付ディジタル携帯電話機における表示周期変更処理を説明するフローチャート。
【図４】図１の記憶部に予め記憶されている加速度・表示周期対応テーブルの構成例を示す図。
【図５】図１のカメラ付ディジタル携帯電話機における他の表示周期変更処理を説明するフローチャート。
【図６】図１の記憶部に予め記憶されている外光周期・表示周期対応テーブルの構成例を示す図。
【図７】図１のカメラ付ディジタル携帯電話機における他の表示周期変更処理を説明するフローチャート。
【符号の説明】
【０１２４】
１…カメラ付ディジタル携帯電話機、２…操作キー、３…ＣＣＤカメラ、４…液晶ディスプレイ、５…サブディスプレイ、６…マイクロフォン、７…スピーカ、１１…主制御部、１２…電源回路、１３…操作入力制御部、１４…画像エンコーダ、１５…カメラI/F部、１６…ＬＣＤ制御部、１７…画像デコーダ、１８…多重分離部、１９…変復調回路部、２０…音声コーデック、２１…メインバス、２２…同期バス、２３…送受信回路部、２４…アンテナ、２５…記録再生部、２６…メモリカード、２７…記憶部、２８…音楽制御部、２９…加速度センサ、３０…外光センサ、３１…表示メモリ、３２…クロック生成回路、３３…ＳＥＧ出力回路、３４…ＣＯＭ出力回路。
【図１】
2008015325.tif 000003
【図２】
2008015325.tif 000004
【図３】
2008015325.tif 000005
【図４】
2008015325.tif 000006
【図５】
2008015325.tif 000007
【図６】
2008015325.tif 000008
【図７】
2008015325.tif 000009